(57)【要約】  容易に格納され且つアイロン掛けのための安定位置に転換され得るアイロン台は、可変長を有するベース（１）と、作業表面（６）を備える本体（５）とを含む。コラム（７）が本体とベースとの間に延在する。調節機構（９）が、作業表面が垂直に位置付けられる場合には、ベースがより短くされ、作業表面が水平に位置付けられる場合には、ベースがより長くされるようにする。システムが、そのようなアイロン台及びアイロン台と協働するアイロンを含む。
2008544798.tif 000002
【特許請求の範囲】
【請求項１】
可変の長さを有するベースと、本体とを含むアイロン台であって、前記本体は、前記ベースに対して幾つかの位置を有し、当該アイロン台は、前記本体と前記ベースとの間に延在するコラムと、前記ベースに対する前記本体の位置に依存して、前記ベースの長さを変更するために配置される調節機構とをさらに含むことを特徴とする、アイロン台。
【請求項２】
前記調節機構は、前記コラムと平行であり且つ第一端部と第二端部とを有する回転シャフトと、前記第一端部に固定され且つ前記本体に接続される第二冠歯車と噛合する第一冠歯車と、前記回転シャフトに固定され第一レバー端部と第二レバー端部とを有するレバーと、前記第二レバーとの協働のために配置される前記ベース内に配置される案内素子とを含むことを特徴とする、請求項１に記載のアイロン台。
【請求項３】
前記ベースは、第一ベース部分と第二ベース部分とを含み、前記第一ベース部分は、前記コラムに接続され、前記第二ベース部分は、前記第一ベース部分に沿って移動可能である、請求項１又は２に記載のアイロン台。
【請求項４】
前記第二ベース部分は、フロア表面の上での摺動を促進する摺動手段を含むことを特徴とする、請求項３に記載のアイロン台。
【請求項５】
前記回転軸は、高さ調節手段による延長又は短縮のために配置されることを特徴とする、上記請求項のうちのいずれか１項に記載のアイロン台。
【請求項６】
前記高さ調節手段は、第一伸縮部分と、該第一伸縮部分との協働のために配置される第二伸縮部分とを含むことを特徴とする、請求項５に記載のアイロン台。
【請求項７】
前記第一伸縮部分及び第二伸縮部分は、互いに対する前記第一伸縮部分及び前記第二伸縮部分の実質的な回転を阻止するために、互いに非回転的に結合されることを特徴とする、請求項６に記載のアイロン台。
【請求項８】
前記本体は、前記本体を所望の位置に置くために、傾斜軸の周りで傾斜されるよう構成されることを特徴とする、上記請求項のうちのいずれか１項に記載のアイロン台。
【請求項９】
当該アイロン台は、ヒータ装置、前記本体の前記作業表面を通じて空気を吹き出し或いは吸引するためのファン装置、及び、蒸気をもたらすためのボイラ装置のうちの少なくとも１つを備えることを特徴とする、上記請求項のうちのいずれか１項に記載のアイロン台。
【請求項１０】
上記請求項のうちのいずれか１項に記載のアイロン台と、前記アイロン台と協働するためのアイロン及び／又は衣類スチーマとを含むシステム。
【請求項１１】
前記アイロン台は、前記アイロン及び／又は衣類スチーマを格納するための手段を有することを特徴とする、請求項１０に記載のシステム。
【請求項１２】
前記ボイラは、前記アイロン及び／又は衣類スチーマに蒸気をもたらすために配置されることを特徴とする、請求項１０又は１１に記載のシステム。
【発明の詳細な説明】
【技術分野】
【０００１】
本発明は、可変の長さを有するベースと、本体とを含むアイロン台に関する。本発明は、アイロン台と、アイロン及び／又は衣類スチーマを含むシステムにも関する。
【背景技術】
【０００２】
周知のアイロン台はＸ脚を備え、脚は台の高さ調節のための旋回軸を形成するために中心で結合される。この従来的な交差脚設計は、アイロン台を開き、アイロン台を所要高さまで上げる前に、使用者がアイロン台を水平に、殆どフロアレベルに配置することを要求する。アイロン台の設置又は格納はかなりの空間を取り得る。
【０００３】
Ｘ脚概念は、さらに、アイロン中の安定性を維持する方法である。
【０００４】
しかしながら、この原理は、それが傾斜し始める前に、両端部で限定的な力に耐え得るに過ぎない。アイロンが実施されている間、アイロン台がある程度の安定性を有することが極めて重要である。台の任意の地点で或いは両端部で加えられる力に晒されるとき、それは傾斜すべきでも転倒すべきでもない。その場合には、熱いアイロンは台から落下可能であり、よって、おそらく使用者を怪我させる。
【発明の開示】
【発明が解決しようとする課題】
【０００５】
容易に格納され且つアイロン掛けのために安定位置に簡単に転換され得るアイロン台を提供することが本発明の目的である。
【課題を解決するための手段】
【０００６】
この目的は、本体がベースに対して幾つかの位置を有するアイロン台であって、本体とベースとの間に延在するコラムと、ベースに対する本体の位置に依存して、ベースの長さを変更するために配置される調節機構も含むアイロン台によって達成される。
【０００７】
作業表面がアイロン掛けモードに対応する垂直に位置付けられる場合には、ベースはより短く、作業表面が水平に位置付けられる場合には、ベースがより長い。より長いベースは、アイロン台が載るより大きな表面地域をもたらす。このようにして、台の重量、並びに、使用中に本体に対する可能な追加的な力が、より大きな地域に亘って分配される。結果的に、本体が実質的に水平に位置付けられるとき、アイロン台はより安定的である。もしアイロン台が格納されるならば、本体は、普通、実質的に垂直な位置にある。本発明に従ったアイロン台の本体が垂直位置にあるとき、ベースは減少された長さを有する。このより短い長さは格納するのがより容易である。何故ならば、それはより少ない空間を必要とするからである。
【０００８】
調節機構は、本体の回転運動をベースの可動部分の運動に伝達するための機械的、電磁的、水圧的、空圧的、又は、磁気的手段であり得る。
【０００９】
本発明に従ったアイロン台は、本体とベースとの間に配置されるコラムを備える。
【００１０】
ロッドが、コラムの側、即ち、使用中の本体の底部で、本体の中央付近の幅を横断して本体に取り付けられ得る。本体はロッドの方向に沿って傾斜され得る。実施態様において、ロッドは、冠歯車のような少数の自在継手を用いて、垂直な浅い円形又は四角形シャフトに連結され得る。この垂直シャフトは、レバーに固定され得る。レバーは、ベースの長さがレバーの位置に依存して拡張され或いは短縮されるような方法で、ベース中のスリット内を摺動可能である。そのような実施態様は請求項２に記載される。
【００１１】
全体は以下のように共に働く。アイロン台は、先ず、その垂直位置にある。本体が水平位置に向かって傾斜されると、ロッドは回転し始める。これはロッドに接続される冠歯車の回転運動をもたらす。この冠歯車は、結果的に、垂直シャフト又は回転心棒に接続される冠歯車を回転する。よって、回転心棒は回転される。回転心棒のこの回転は、スリット内のレバーを移動し、結果的に、ベースは滑り出し、よって、ベースを拡張させる。この拡張を伴って、アイロン板のベースはより長い。この拡張は、本体が水平であるときに、システムのためのより一層広いベースを提供し、よって、全体として安定的な装置を達成する。
【００１２】
本体が垂直位置に配置されるときに、例えば、使用者が台を格納することを欲するときに、逆が起こる。即ち、ベースは引っ込められ、アイロン中よりも少ない空間が必要である。このようにして、台は容易に格納され得る。
【００１３】
アイロン台の実際的な実施態様は、請求項３に定められるように特徴付けられる。安定性をさらに向上するために、第二部分をより多くの副部分に分割することが好ましくあり得る。そのような副部分、調節機構に連結され得るし、或いは、それ自体既知の機械的手段によって相互に連結され得る。
【００１４】
ベースはフロアに沿って移動し、フロアは容易な安定的な動作をもたらす。ベースは摺動手段を備え得る。ベースに摺動手段を備え付ける利益は、摩擦がより少なく、よって、使用者が処理するのがより容易であることである。さらに、フロアは摺動手段の結果として損傷されない。摺動手段の他の利益は、使用者がアイロン台を摺動手段に向かって傾斜し、台をフロア上に容易に引っ張り得ることである。このようにして、使用者は、アイロン台をあちこち移動するときに、アイロン板を持ち上げる必要がない。そのような摺動手段の実施例は、車輪又はグライダである。
【００１５】
便宜上、アイロン台のベースは車輪を含み得るし、コラム又は台は、アイロン台が容易にフロア上に引っ張られ得ると共に、使用者がそれをあちこち移動するときに台を持ち上げる必要がないように、ハンドルを含み得る。車輪は、当業者によって既知であるアイロン台の位置を固定するための遮断手段を含み得る。
【００１６】
本発明に従ったアイロン台の他の実施態様では、台は、アイロン、蒸気アイロン及び／又は衣類スチーマのような機器を収容するための室を有する。これは、使用者が不使用時に例えばアイロンを格納し得る、コラム上又は内の引出しを備えるキャビネットであり得る。
【００１７】
そのような機器を動作するための手段も提供され得る。これらの手段は、例えば、水を提供するための水タンク、（水タンクからの水から）蒸気を生成し且つ蒸気をアイロンの入口に供給するためのボイラ、電力を供給するための電源である。このようにして、アイロン台及びアイロンはシステムを形成し、且つ、システムとして協働する。代替的に、蒸気は、もし存在するならば、衣類スチーマの入口に供給され得る。このようにして、アイロン台及び衣類スチーマはシステムを形成し、且つ、システムとして協働する。
【００１８】
アイロン掛けされるべき物品を本体の作業表面上に平坦状に配置するときには、普通、特別な注意がなされる。物品の二重の或いは折り畳まれた編物は、もし注意がなされないならば、アイロン後に物品中に自己誘導的な折畳み又は人工的な皺をもたらす。これは望ましくない効果である。本発明に従ったアイロン台の実施態様では、アイロン台は透過性作業表面を通じて空気を吹き付け或いは吸引する手段を備える。本体は、透過性材料或いは孔及び例えば織物から成る透過性カバーを備える固形材料から成り得る。透過性作業表面を通じた空気の吹付けは、物品を平坦状に配置するのに役立つ。空気は物品が平坦状に或いは伸張状に配置され得るあるクッションをもたらす。物品が配置された後、ファンの方向は（例えば、アイロン上の制御ボタンを押すことによって）吸引に変更され得る。今や物品の編物は、空気クッション上に平坦状に配置された後、平坦状に作業表面に吸引され、今やアイロンの準備が完了し、よって、自己誘導的な折畳みの危険性を減少する。
【００１９】
他の実施態様において、アイロン台は、作業表面を加熱するための手段も備え得る。このようにして、物品の織物は、例えば、本体中に配置される熱い電気渦巻線の使用によって、作業表面側から暖められる。代替的に、可撓加熱素子が、例えば、カバーに縫い付けられて取り付けられ得る。
【００２０】
本発明に従ったアイロン台がファン及び／又はヒータを備える場合には、これらの機能に電力を供給するために、電源が必要とされる。
【００２１】
ベースに対する幾つかの位置を有する本体を備えるアイロン台の概念がＦＲ２６９５１４５に記載されている。この文書は本体の位置付けに関する技術的情報を殆ど提供していない。
【００２２】
本発明に従ったアイロン台の幾つかの実施態様が請求項２乃至９に定められる。本発明は、さらに、本発明に従ったアイロン台と、アイロン台と協働するアイロンとを含むシステムに関する。本発明に従ったシステムの実施態様は、請求項１１及び１２に記載される。
【００２３】
本発明は添付の図面を参照して例証として今や記載される。原則的に、全ての特徴が組み合わせられ得る。図面中、同一の番号は同一又は均等な機能のために使用されている。
【発明を実施するための最良の形態】
【００２４】
図面が今や詳細に記載され、図面中の番号が参照される。図１には、本体５と、ベース１と、コラム７とを有するアイロン台２の実施態様が描写されている。本体５は実質的に垂直位置にあり、ベース１は長さＬ１を有する。図２において、本体５は実質的に水平位置にあり、ベース１は長さＬ２を有し、それはＬ１よりも大きい。図１及び２は共に作業表面６を備える本体５の位置とベース１の長さとの関係を例証している。ベース１の長さは、使用中のフロアとの接点（４ａ及び４ｂ）間の距離である。ベース１は、第一ベース部分１ａと第二ベース部分１ｂとを含む。第一ベース部分１ａはコラム７に取り付けられ、第二ベース部分は第一ベース部分１ａに沿って摺動可能である。
【００２５】
図３には、実質的に垂直位置にある本体５を備える調節機構９が示されている。本体５（図３には示されていない）は、本体が傾斜軸Ｔ−Ｔに沿って傾斜されるのを可能にするロッド１０に接続されている。本体５が傾斜軸Ｔ−Ｔに沿って（図４に示されるような）水平位置に向かって傾斜されると、ロッド１０は回転し始める。これはロッド１０に接続された冠歯車１５の回転運動をもたらす。この冠歯車は、結果として、回転軸として作用する垂直シャフト１１に接続されたさらなる冠歯車１３を回転する。よって、垂直シャフト１１は反時計回りに回転される。このシャフト１１の回転はスリット１９内のベースレバー１７を移動し、結果的に、ベース１は矢印Ａによって例証されるように滑り出る。ベースは好ましくは摺動手段、例えば、車輪２１を備える。
【００２６】
図５は、第一伸縮部分１２と第二伸縮部分１４とを含むシャフト１１の実施例を概略的に示しており、それらは互いに対して回転可能ではない。何故ならば、それらは非円形断面を有するからである。そのようなシャフトは、引込可能／延長可能ベース機能が高さ調節と組み合わせられる発明の実施態様において使用され得る。伸縮部分を含むシャフトは、本体とベースとの間の距離が偏光されることを可能にする。
【００２７】
図６ａにおいて、本発明に従ったアイロン台２の第二実施態様が描写されており、ベース１と、作業表面６を備える本体５とを含み、本体は第一長手軸Ｉ−Ｉを有する。アイロン台は、第二長手軸ＩＩ−ＩＩを有するコラム７をさらに有する。系車軸Ｔ−Ｔは、第一軸及び第二軸の両者に対して実質的に垂直に延在する。図６ａ及び６ｂは、伸張状態を有する本体を備える第を傾斜することによって得られ得る２つの位置を描写している。
【００２８】
図７乃至１１ｂには、傾斜手段の詳細が描写されている。
【００２９】
図７には、アイロン台の本体５（部分的に示されている）が心棒６３に回転可能に接続されていることが示されている。この実施例において、心棒６３は、（図６ａに示されるような）傾斜軸Ｔ−Ｔの実施態様である。実施態様は、心棒６３に接続された第一ボタン６１を含む。心棒６３は第一コネクタ６４を介して三角形７１に接続されている。三角形７１はクランプ突起７３に接続されており、それは旋回板７５との協働のために配置されている。旋回板７５は（図８に示されるような）第一スロット７４及び第二スロット７６を有する。
【００３０】
傾斜が今や図面を参照して記載される。記載の開始地点は、図６ａに描写されるような実質的に水平位置にある本体である。もし使用者が第一ボタン６１を本体の方向に押すならば、心棒６３は図７中に矢印Ｃによって例証されるように回転する。故に、第一コネクタ６４を介して心棒６３に結合された三角形７１は、矢印Ｄの方向に押される（図８及び９も参照）。その結果として、クランプ突起７３は板旋回７５に配置される第一スロット７４から解放される。もし使用者が、同時に第一ボタン６１を押しながら、矢印Ｅの方向に力を加えるならば（図６を参照）、本体５は回転し、クランプ突起７３は板旋回７５に沿って次の利用可能なスロット、この場合には、第二スロット７６に摺動する（図１０及び１１ａを参照）。もし使用者が第一ボタン６１を解放するならば、クランプ突起７３は第二スロット７６に嵌入する（図１１ｂを参照）。本体５は心棒６３に接続されているので、その結果は本体５が回転心棒６３に沿って実質的に垂直位置、この場合には、水平面に対して約８１度に傾斜される。これは図６ｂに例証されている。
【００３１】
第二実施態様において、本体（図６ｂを参照）は、第一作業表面９２を有する第一部分９１と、第二作業平面９４を有する第二部分９３とを有し、第一部分及び第二部分は、折畳み手段として作用するヒンジ１０３によって接続されている。第一部分９１は、第二部分を支持するための支持素子１０１を備え得る（図６ａを参照）。ヒンジ１０２の第一部分は本体の第一部分９１に固定され、ヒンジ１０４の第二部分は本体の第二部分９３に固定されている（図１３を参照）。
【００３２】
アイロン台の本体の折畳みが今や説明される。記載の開始地点は、図６ｂに描写されるような実質的に垂直位置にある本体である。
【００３３】
もし使用者が第一ボタン（６１）を本体の方向に押すならば、クランプ突起７３は板旋回７５内の第二スロット７６から解放される（図１１ａを参照）。もし使用者が、第一ボタンを同時に押しながら、本体の第二部分９３上で矢印Ｅの方向に力を加えるならば、この第二部分は第一部分に向かって折り畳まれる。第一作業表面９２及び第二作業表面９４は今や互いに向かって面し合う。これは図６ｃに例証されている。このモードにおいて、本発明に従ったアイロン台は容易に且つコンパクトな方法で収納され得る。
【００３４】
本体の第二部分９３が第一部分９１上でパタンと落ちるのを防止し、且つ、折畳みプロセスと同時に起こるために、弾性素子８１が設けられる。図１２には、弾性素子８１の実施態様が示されている。この実施態様において、弾性部材はバネ８５に固定されたストラップ８３を含む。ストラップ８６の一端は本体の第二部分９３に接続され、ストラップの他端はバネ８５に接続されている。バネはコラム８４の第一底部分に固定されている。第一底部分８４は（図１６に示され且つ後に説明される）コラム７の可動フレーム３３の一部である。
【００３５】
実質的水平（図６ａにおけるような伸張状態）から実質的垂直（図６ｂにおけるような伸張状態）への第二実施態様における本体５の位置の変位は、本体の望ましくない折畳みを引き起こし得る。本体の傾斜が時期尚早な折畳みに対して勝つために、弾性素子８１（図１２を参照）は弾性力が本体を傾斜するのに必要とされる力よりも強いよう選択され且つ構成され、よって、本体５の傾斜中に部分を一体に維持する。図１２では、弾性素子８１の進路がコラム（図示せず）を通じて通り、本体の第一部分９１を通じて通り、本体の第二部分９３で終端することが分かる。ストラップは、番号８６によって表示される場所で第二部分９３に固定される（図１２）。本体の重量に依存して、当業者であれば、弾性素子の力を選択し得る。これはバネ８５の力であり得る。ストラップ及びバネは、例えば、弾性バンド（図示せず）によって置換され得る。その場合には、弾性バンドの力は当業者によって選択され得る。案内手段８０が弾性素子の進路を案内する。案内手段の実施例は、それ自体既知のローラである。
【００３６】
傾斜中に本体の第一部分９１と本体の第二部分９３とを伸張状態に維持するために、代替的に、固定手段（図示せず）が設けられ得る。
【００３７】
この固定手段は、２つの安定位置、例えば、開放位置及び閉塞位置を有する、それ自体既知のヒンジ又はバネ付勢ヒンジであり得る。
【００３８】
代替的に、固定手段は、ヒンジの第二部分１０４（図１３）に近接する本体の第二部分に固定される受容手段と協働するヒンジの第一部分（１０２、図１３を参照）に近接する本体の第一部分に固定された突起を含み得る。協働はそれ自体既知の方法で行われるので、本体の第一部分及び第二部分はそれらの伸張位置に固定される。突起はフックであり得るし、受容手段はソケットであり得る。これらはそれ自体既知である。そのような実施態様では、使用者は、本体が折り畳まれ得る前に、フックをソケットから解放しなければならない。実際には、それは本体の部分間で係止／離脱手段として機能する。
【００３９】
図１４には、プレスモードにある本発明に従った大の実施態様が描写されている。この実施態様は、本体の第一部分９１に固定されたフック１１１と、本体の第二部分９３に固定された本体突起１１３とを含む。これは逆でもあり得る。本体突起１１３は受容素子として働く。当業者であれば、代替的な既知のフック形状素子と既知の受容素子とを選択し、素子が協働するようにそれらを本体の第一部分９１及び第二部分９３にそれぞれ固定し得る。接触ボタン１３５が電気装置（図示せず）のための制御装置として働く。電気装置はファン１３３を活性化するために配置される。
【００４０】
本発明に従ったアイロン台を使用して物品をプレスする方法が今や記載される。水平位置にある本体（アイロンモード）（図６ａ）が開始地点として取られる。物品１５１が本体の第一部分９１の第一作業表面９２上に配置される。本体の第二部分９３が第一作業表面９２に向かって折り畳まれる。本体の第一部分９１は（水平位置にある）旋回板７５上に掛止されたままである。このようにして、第一作業表面９２及び第二作業表面９４は互いに面し合い、物品の少なくとも一部がそれらの間に配置される。今や部分９１，９３は共にクランプされる。これは本体突起１１３の周りにフック１１１を移動することによって行われる。もし接触ボタン１３５が押されるならば、ファン１３３が活性化され、その結果、空気流が本体の第二部分の第二作業表面９４を通じて並びに物品１５１（の一部）を通じて流れる。プレス動作中に熱をもたらすために、台ヒータ（もし存在するならば、図示されていない）が活性化され得る。
【００４１】
本発明に従った実施態様によれば、ファン１３３を活性化するための制御装置は遠隔制御を含む。
【００４２】
図１４には、本発明に従ったアイロン台の実施態様が、機器、例えば、アイロン１２３、もし存在するならば、衣類スチーマを収容するための室１２１、又は、例えば、引出しを備え得ることがさらに示されている。このようにして、台はアイロン及び／又は衣類スチーマを格納する手段を有する。
【００４３】
本発明に従ったアイロン台の実施態様において、アイロン台は、水タンク１２５又はボイラ１２７又は電源（図１４）のうちの少なくとも１つを収容するために構成される。ボイラは、入口（図示せず）を有するアイロンに接続されるホースを備える。水タンク１２５は、それ自体既知の方法で水をボイラに提供するために配置される。このようにして、蒸気が生成され、アイロンに供給され得る。よって、アイロンはスチームアイロンとして機能し得る。よって、アイロンはアイロン台と協働し得る。
【００４４】
図１５ａは、本発明に従ったトルソ形状本体の第一実施態様を概略的に描写しており、そこでは、作業表面はトルソの長手部分の輪郭に対応する輪郭１４１を有する。
【００４５】
図１５ｂは、輪郭１４３を有する本発明に従ったトルソ形状本体の第二の変形を概略的に描写している。
【００４６】
トルソ形状は軸ＩＩＩ−ＩＩＩに対して対称的であり得る。
【００４７】
本発明に従ったアイロン台の実施態様において、台は回生（リフレッシュ）モードを有する。このモードでは、物品を本体５に覆うことによって、使用者は物品を回生可能であり、本体は実質的に垂直位置にある（図６ｂを参照）。
【００４８】
物品は、例えば、ジャケット、ブレザ、ブラウス、又は、シャツであり得る。物品はボタン付きであっても良く、よって、物品の正面側と普通呼ばれるもので閉塞され得る。このようにして、肩部分は本体５の肩部（例えば、図１５ａ中の１４２、或いは、代替的に、図１５ｂ中の１４４）を覆う。ドレス又はセータのようなボタンなし物品が、肩紐又は肩部分が本体の肩部に位置するよう本体に覆われ得る。両方の記載において、本体には物品が着けられる。代替的に、物品はハンガを覆い得るし、ハンガは本体に接続される。使用者はファン１３３を始動するために電気装置を活性化する。ファン１３３は空気流を生成する。活性化は制御装置１３５を使用して行われる。使用者が制御ユニットに容易に達し得るよう、制御装置は、例えば、本体の背部のいずれの場所にも配置され得る。代替的に、制御装置は遠隔制御１３７を含む。ファン活性化は、衣類スチーマ（もし存在するならば）からも行われ得る。この場合には、衣類回生は、衣類スチーマからの蒸気の使用で加速され、台からの空気（ヒータで暖められ得る）で補助される。
【００４９】
本発明に従った実施態様において、空気は透過性作業表面を通じて流れる。本体が複数の部分を有する場合には、空気は、使用中にファン１３１によって移動性をもたらされた空気を案内するための案内手段を介して、本体の１つの部分から本体の他の部分に並びにその逆に案内される。
【００５０】
空気案内手段は、本体１０７の第一部分の第一壁部分を含み（図１３）、その第一壁部分は、折畳み手段１０３及び本体１０９の第二部分の第二壁部分の近くに配置され、その第二壁部分は、折畳み手段の近くに配置され、それらの第一壁部分及び第二壁部分は、対応する開口１０５を備える。
【００５１】
代替的な実施態様において、本体は孔１３１を備え（図１４）、孔１３１は開放され、空気流は主として本体の反対側に配置される孔から吹き出される。今や空気流はスリーブ及び物品の上方部分に向かって流れる。このようにして、汗領域として既知の腋窩領域が特に回生される。
【００５２】
図１６に描写された本発明に従ったアイロン台２の実施態様において、アイロン台は、ベース１に対する本体５の距離を調節するための高さ調節手段を含む。図１６には、高さ調節手段の概略的な実施態様が描写されており、ベース１に固定された静止フレーム３１と本体５に固定された可動フレーム３３とを備えるコラム７を示している。静止フレーム３１は、可動フレーム３３を案内するための案内手段３５を有する。図１７には、高さ調節手段の代替的な実施態様が示されている。この実施態様において、アイロン台は第二可動フレーム３４を含む。第二可動フレーム３４は静止フレーム３１に対して移動し、可動フレーム３３は第二可動フレーム３４に対して移動する。
【００５３】
高さ調節手段は、図１８、１９、及び、２０により詳細に示されている。
【００５４】
これらの図面には、第二ボタン３９がシャフト４０に接続されていることが描写されている。シャフト４０は第二コネクタ４１を介してストリップリフト４１に固定されている（図１９）。レバーリフト４３（図４３）がストリップリフト４１に固定され、目盛板４５と協働する。
【００５５】
高さを調節するために、使用者は本体に向かって第二ボタン３９を押す。このようにして、シャフト４０は矢印Ｆの方向に回転される（図１９を参照）。結果的に、第二コネクタ４２を介してシャフト４０に接続されたストリップリフト４１は下方に移動される。結果的に、レバーリフト４３は目盛板４５（或いは、代替的に、ギア列）から解放（離脱）される（図２０を参照）。使用者は今や（第二ボタン３９を押しながら）本体を引っ張り上げ或いはそれを押し下げ得る。何故ならば、稼働フレーム３３は静止フレーム３１上の案内手段３５を使用して自由に移動し得るからである。本体を所望の高さに固定するために、使用者は第二ボタン３９及びストッパ手段として作用するレバーリフト４３を解放し、目盛板４５内の最も近い開口内に摺動する。
【００５６】
使用者が本体及びそれに接続されたフレームの重量を持ち上げるのに力を加える必要がないよう高さ調節を容易化するために、本発明に従ったアイロン台は、好ましくは、本体に反発力を加える手段を備える。そのような力はベースから離れる方向に向けられた本体上の力である。この力は電気的、磁気的、水圧的、空気圧的に、又は、機械的手段によって提供され得る。
【００５７】
本発明に従った実施態様において、本体５の重量は、高さ調節中に定荷重バネによって補償される（図１８を参照）。定荷重バネ３７は、一端でネジ又は取付けブリッジのような共通の固定手段を用いて静止フレーム３１に固定され（図１６中に視覚化されている）、他端で可動フレーム３３に固定されている（図１６中に視覚化されている）。可動フレーム３３の底部８４（図１６に示されている）は、定荷重バネ３７の締結手段３０上に載っている。本体５（図１６中に視覚化されている）は可動フレーム３３に固定されているので、本体５及び可動フレーム３３の両方の重量は定荷重バネによって補償される。
【図面の簡単な説明】
【００５８】
【図１】実質的に垂直位置にある本体を備える本発明に従ったアイロン台の第一実施態様を示す概略図である。
【図２】実質的に水平位置にある本体を備える図１のアイロン台を概略的に示す斜視図である。
【図３】実質的に垂直位置にある本体を備える本発明に従ったアイロン台のための調節機構を示す概略図である。
【図４】実質的に水平位置にある本体を備える図３のアイロン台のための調節機構を示す概略図である。
【図５】調節機構の詳細な実施態様を示す概略図である。
【図６ａ】本発明に従ったアイロン台の第二実施態様を概略的に示す側面図である。
【図６ｂ】実質的に垂直位置にある本体を備える図６ａの実施態様を示す概略図である。
【図６ｃ】折畳み位置にある図６ａの実施態様を示す概略図である。
【図７】本発明に従ったアイロン台のための傾斜機構を示す概略図である。
【図８】図７の傾斜手段の詳細を概略的に示す斜視図である。
【図９】図８の詳細を概略的に示す側面図である。
【図１０】他の位置にある図７の傾斜手段の詳細を示す概略図である。
【図１１ａ】第一位置にある図１０の詳細を概略的に示す側面図である。
【図１１ｂ】第二位置にある突起を備える図１０の詳細を概略的に示す側面図である。
【図１２】本発明に従ったアイロン台の第三実施態様の詳細を示す概略図である。
【図１３】本発明に従ったアイロン台のための空気案内手段を示す概略図である。
【図１４】プレスモードにある本発明に従ったアイロン台の実施態様を示す概略図である。
【図１５ａ】本発明に従ったトルソ形状本体の第一実施態様を示す概略図である。
【図１５ｂ】本発明に従ったトルソ形状本体の第二実施態様を示す概略図である。
【図１６】本発明に従ったアイロン台の高さ調節手段の実施態様を示す概略図である。
【図１７】本発明に従ったアイロン台の高さ調節手段の代替的な実施態様を示す概略図である。
【図１８】本発明に従ったアイロン台のための高さ調節手段の実施態様の一部としての重量補償手段の実施態様を示す概略図である。
【図１９】図１８の高さ調節手段の拡大された詳細を示す概略図である。
【図２０】図１８の高さ調節手段の他の拡大された詳細を示す概略図である。
【図１】
2008544798.tif 000003
【図２】
2008544798.tif 000004
【図３】
2008544798.tif 000005
【図４】
2008544798.tif 000006
【図５】
2008544798.tif 000007
【図６ａ】
2008544798.tif 000008
【図６ｂ】
2008544798.tif 000009
【図６ｃ】
2008544798.tif 000010
【図７】
2008544798.tif 000011
【図８】
2008544798.tif 000012
【図９】
2008544798.tif 000013
【図１０】
2008544798.tif 000014
【図１１ａ】
2008544798.tif 000015
【図１１ｂ】
2008544798.tif 000016
【図１２】
2008544798.tif 000017
【図１３】
2008544798.tif 000018
【図１４】
2008544798.tif 000019
【図１５ａ】
2008544798.tif 000020
【図１５ｂ】
2008544798.tif 000021
【図１６】
2008544798.tif 000022
【図１７】
2008544798.tif 000023
【図１８】
2008544798.tif 000024
【図１９】
2008544798.tif 000025
【図２０】
2008544798.tif 000026
【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
可変の長さを有する１つのベースと、該ベースに対して幾つかの位置を有する本体と、該本体と前記ベースとの間に延在する１つのコラムとを含み、前記本体は、その幾つかの位置において、前記コラムによってのみ支持され、前記ベースは、第一ベース部分と、第二ベース部分とを含み、前記第一ベース部分は、前記コラムに接続されるアイロン台であって、前記第二ベース部分は、前記第一ベース部分内に摺動可能に配置され、当該アイロン台は、前記ベースに対する前記本体の位置に依存して、前記ベースの長さを変更するために配置される調節機構を含み、前記ベースは、前記本体が前記コラムに対して垂直な本体の位置において、前記本体が前記コラムと平行な本体の位置におけるよりも長い長さを有することを特徴とする、アイロン台。
【請求項２】
前記調節機構は、前記本体の回転運動を前記第二ベース部分に伝達する機械的、電磁的、水圧的、空圧的、又は、磁気的な手段である、請求項１に記載のアイロン台。
【請求項３】
前記調節機構は、前記コラムと平行であり且つ第一端部と第二端部とを有する回転シャフトと、前記第一端部に固定され且つ前記本体に接続される第二冠歯車と噛合する第一冠歯車と、前記回転シャフトに固定され第一レバー端部と第二レバー端部とを有するレバーと、前記第二レバー端部との協働のために配置される前記ベース内に配置される案内素子とを含むことを特徴とする、請求項１又は２に記載のアイロン台。
【請求項４】
前記第二ベース部分は、フロア表面の上での摺動を促進する摺動手段を含むことを特徴とする、請求項１に記載のアイロン台。
【請求項５】
前記回転シャフトは、高さ調節手段による延長又は短縮のために配置されることを特徴とする、請求項３に記載のアイロン台。
【請求項６】
前記高さ調節手段は、第一伸縮部分と、該第一伸縮部分との協働のために配置される第二伸縮部分とを含むことを特徴とする、請求項５に記載のアイロン台。
【請求項７】
前記第一伸縮部分及び第二伸縮部分は、互いに対する前記第一伸縮部分及び前記第二伸縮部分の実質的な回転を阻止するために、互いに非回転的に結合されることを特徴とする、請求項６に記載のアイロン台。
【請求項８】
前記本体は、前記本体を所望の位置に置くために、傾斜軸の周りで傾斜されるよう構成されることを特徴とする、上記請求項のうちのいずれか１項に記載のアイロン台。
【請求項９】
当該アイロン台は、ヒータ装置、前記本体の前記作業表面を通じて空気を吹き出し或いは吸引するためのファン装置、及び、蒸気をもたらすためのボイラ装置のうちの少なくとも１つを備えることを特徴とする、上記請求項のうちのいずれか１項に記載のアイロン台。
【請求項１０】
上記請求項のうちのいずれか１項に記載のアイロン台と、前記アイロン台と協働するためのアイロン及び／又は衣類スチーマとを含むシステム。
【請求項１１】
前記アイロン台は、前記アイロン及び／又は衣類スチーマを格納するための手段を有することを特徴とする、請求項１０に記載のシステム。
【請求項１２】
前記ボイラは、前記アイロン及び／又は衣類スチーマに蒸気をもたらすために配置されることを特徴とする、請求項１０又は１１に記載のシステム。
【手続補正２】
【補正対象書類名】明細書
【補正対象項目名】全文
【補正方法】変更
【補正の内容】
【発明の詳細な説明】
【技術分野】
【０００１】
本発明は、可変の長さを有するベースと、本体とを含むアイロン台に関する。本発明は、アイロン台と、アイロン及び／又は衣類スチーマを含むシステムにも関する。
【背景技術】
【０００２】
周知のアイロン台はＸ脚を備え、脚は台の高さ調節のための旋回軸を形成するために中心で結合される。この従来的な交差脚設計は、アイロン台を開き、アイロン台を所要高さまで上げる前に、使用者がアイロン台を水平に、殆どフロアレベルに配置することを要求する。アイロン台の設置又は格納はかなりの空間を取り得る。
【０００３】
Ｘ脚概念は、さらに、アイロン中の安定性を維持する方法である。
【０００４】
しかしながら、この原理は、それが傾斜し始める前に、両端部で限定的な力に耐え得るに過ぎない。アイロンが実施されている間、アイロン台がある程度の安定性を有することが極めて重要である。台の任意の地点で或いは両端部で加えられる力に晒されるとき、それは傾斜すべきでも転倒すべきでもない。その場合には、熱いアイロンは台から落下可能であり、よって、おそらく使用者を怪我させる。
【発明の開示】
【発明が解決しようとする課題】
【０００５】
容易に格納され且つアイロン掛けのために安定位置に簡単に転換され得るアイロン台を提供することが本発明の目的である。
【課題を解決するための手段】
【０００６】
この目的は、請求項１に定められる特徴を有するアイロン台によって達成される。
【０００７】
作業表面がアイロン掛けモードに対応する垂直に位置付けられる場合には、ベースはより短く、作業表面が水平に位置付けられる場合には、ベースがより長い。より長いベースは、アイロン台が載るより大きな表面地域をもたらす。このようにして、台の重量、並びに、使用中に本体に対する可能な追加的な力が、より大きな地域に亘って分配される。結果的に、本体が実質的に水平に位置付けられるとき、アイロン台はより安定的である。もしアイロン台が格納されるならば、本体は、普通、実質的に垂直な位置にある。本発明に従ったアイロン台の本体が垂直位置にあるとき、ベースは減少された長さを有する。このより短い長さは格納するのがより容易である。何故ならば、それはより少ない空間を必要とするからである。
【０００８】
調節機構は、本体の回転運動をベースの可動部分の運動に伝達するための機械的、電磁的、水圧的、空圧的、又は、磁気的手段であり得る。
【０００９】
本発明に従ったアイロン台は、本体とベースとの間に配置されるコラムを備える。
【００１０】
ロッドが、コラムの側、即ち、使用中の本体の底部で、本体の中央付近の幅を横断して本体に取り付けられ得る。本体はロッドの方向に沿って傾斜され得る。実施態様において、ロッドは、冠歯車のような少数の自在継手を用いて、垂直な浅い円形又は四角形シャフトに連結され得る。この垂直シャフトは、レバーに固定され得る。レバーは、ベースの長さがレバーの位置に依存して拡張され或いは短縮されるような方法で、ベース中のスリット内を摺動可能である。そのような実施態様は請求項２に記載される。
【００１１】
全体は以下のように共に働く。アイロン台は、先ず、その垂直位置にある。本体が水平位置に向かって傾斜されると、ロッドは回転し始める。これはロッドに接続される冠歯車の回転運動をもたらす。この冠歯車は、結果的に、垂直シャフト又は回転心棒に接続される冠歯車を回転する。よって、回転心棒は回転される。回転心棒のこの回転は、スリット内のレバーを移動し、結果的に、ベースは滑り出し、よって、ベースを拡張させる。この拡張を伴って、アイロン板のベースはより長い。この拡張は、本体が水平であるときに、システムのためのより一層広いベースを提供し、よって、全体として安定的な装置を達成する。
【００１２】
本体が垂直位置に配置されるときに、例えば、使用者が台を格納することを欲するときに、逆が起こる。即ち、ベースは引っ込められ、アイロン中よりも少ない空間が必要である。このようにして、台は容易に格納され得る。
【００１３】
アイロン台の実際的な実施態様は、請求項３に定められるように特徴付けられる。安定性をさらに向上するために、第二部分をより多くの副部分に分割することが好ましくあり得る。そのような副部分、調節機構に連結され得るし、或いは、それ自体既知の機械的手段によって相互に連結され得る。
【００１４】
ベースはフロアに沿って移動し、フロアは容易な安定的な動作をもたらす。ベースは摺動手段を備え得る。ベースに摺動手段を備え付ける利益は、摩擦がより少なく、よって、使用者が処理するのがより容易であることである。さらに、フロアは摺動手段の結果として損傷されない。摺動手段の他の利益は、使用者がアイロン台を摺動手段に向かって傾斜し、台をフロア上に容易に引っ張り得ることである。このようにして、使用者は、アイロン台をあちこち移動するときに、アイロン板を持ち上げる必要がない。そのような摺動手段の実施例は、車輪又はグライダである。
【００１５】
便宜上、アイロン台のベースは車輪を含み得るし、コラム又は台は、アイロン台が容易にフロア上に引っ張られ得ると共に、使用者がそれをあちこち移動するときに台を持ち上げる必要がないように、ハンドルを含み得る。車輪は、当業者によって既知であるアイロン台の位置を固定するための遮断手段を含み得る。
【００１６】
本発明に従ったアイロン台の他の実施態様では、台は、アイロン、蒸気アイロン及び／又は衣類スチーマのような機器を収容するための室を有する。これは、使用者が不使用時に例えばアイロンを格納し得る、コラム上又は内の引出しを備えるキャビネットであり得る。
【００１７】
そのような機器を動作するための手段も提供され得る。これらの手段は、例えば、水を提供するための水タンク、（水タンクからの水から）蒸気を生成し且つ蒸気をアイロンの入口に供給するためのボイラ、電力を供給するための電源である。このようにして、アイロン台及びアイロンはシステムを形成し、且つ、システムとして協働する。代替的に、蒸気は、もし存在するならば、衣類スチーマの入口に供給され得る。このようにして、アイロン台及び衣類スチーマはシステムを形成し、且つ、システムとして協働する。
【００１８】
アイロン掛けされるべき物品を本体の作業表面上に平坦状に配置するときには、普通、特別な注意がなされる。物品の二重の或いは折り畳まれた編物は、もし注意がなされないならば、アイロン後に物品中に自己誘導的な折畳み又は人工的な皺をもたらす。これは望ましくない効果である。本発明に従ったアイロン台の実施態様では、アイロン台は透過性作業表面を通じて空気を吹き付け或いは吸引する手段を備える。本体は、透過性材料或いは孔及び例えば織物から成る透過性カバーを備える固形材料から成り得る。透過性作業表面を通じた空気の吹付けは、物品を平坦状に配置するのに役立つ。空気は物品が平坦状に或いは伸張状に配置され得るあるクッションをもたらす。物品が配置された後、ファンの方向は（例えば、アイロン上の制御ボタンを押すことによって）吸引に変更され得る。今や物品の編物は、空気クッション上に平坦状に配置された後、平坦状に作業表面に吸引され、今やアイロンの準備が完了し、よって、自己誘導的な折畳みの危険性を減少する。
【００１９】
他の実施態様において、アイロン台は、作業表面を加熱するための手段も備え得る。このようにして、物品の織物は、例えば、本体中に配置される熱い電気渦巻線の使用によって、作業表面側から暖められる。代替的に、可撓加熱素子が、例えば、カバーに縫い付けられて取り付けられ得る。
【００２０】
本発明に従ったアイロン台がファン及び／又はヒータを備える場合には、これらの機能に電力を供給するために、電源が必要とされる。
【００２１】
ベースに対する幾つかの位置を有する本体を備えるアイロン台の概念がＦＲ２６９５１４５に記載されている。この文書は本体の位置付けに関する技術的情報を殆ど提供していない。
【００２２】
本発明に従ったアイロン台の幾つかの実施態様が請求項２乃至９に定められる。本発明は、さらに、本発明に従ったアイロン台と、アイロン台と協働するアイロンとを含むシステムに関する。本発明に従ったシステムの実施態様は、請求項１１及び１２に記載される。
【００２３】
ＤＥ−Ｕ  ７５３７３６５は、正面のより長い足部と背面のより短い足部とを備えるコラム状スタンドから成る吸引装置を備える、アイロン台を開示しており、スタンドは伸縮状に高さ調節可能であり、アイロン台を形成し且つファン筐体と組み合わせられる吸引槽が、その正面テーパ端部が正面足部を越え且つその背面端部にある背面足部を越えた状態で延びるように、スタンドの上方の調節可能な部分に配置され、自立型吸引槽は、調節可能スタンド部分のヒンジおいてそれに固定される支持クリップの自由端によって、背面足部に対して折り畳まれた状態で固定され、作業位置は解放可能なキャッチを介して、調節可能なスタンド部分と追加的に係合し、正面足部はスタンドに対して折り畳まれ得るよう設計され、解放可能な折曲げ防止機構を備えることが留意されるべきである。
【００２４】
ＤＥ−Ａ  ３７０１４５は、脚立フレームを備える折畳み可能なアイロン台を開示しており、アイロン台が旋回可能な方法で脚部の一方に固定され、他方の脚部は第一に対して平行に変位可能であり、両方の脚部の足は折畳み状態において互いに間に位置するようになることが留意されるべきである。
【００２５】
ＵＳ−Ａ−２９６９６０３は、折畳み可能なアイロン台を開示していることが留意されるべきである。アイロン台は、矩形のベースパネルと、ベースパネルの端部に蝶番付けされた端部パネルと、アイロン台を拡張位置において支持するために脚部によってベースパネルの内部表面に接続された伸縮フレームとを含む。
【００２６】
ＥＰ−Ａ−０１１８３９８は、電気機器としてみなされ得る機構を有する蒸気アイロン機械を開示しており、機構は、支持ベースを有し、蒸気アイロンに転換されるべき蒸気を生成する手段と直接的に或いは間接的に協働し且つアイロン台並びに吸引手段のための加熱手段を備えるアイロン板を含み、アイロン台は、２つの主要位置、即ち、台が水平に配置される作業位置と、台が垂直に配置される休止位置とを取り得るよう、ヒンジ手段によって機器支持素子に対して回転可能に取り付けられ、アイロン台を作業位置から休止位置に導くためにアイロン台に付与される回転は、台先端がこの回転動作中に下げられ且つ支持ベースに隣接して位置するように起こることが留意されるべきである。
【００２７】
本発明は添付の図面を参照して例証として今や記載される。原則的に、全ての特徴が組み合わせられ得る。図面中、同一の番号は同一又は均等な機能のために使用されている。
【発明を実施するための最良の形態】
【００２８】
図面が今や詳細に記載され、図面中の番号が参照される。図１には、本体５と、ベース１と、コラム７とを有するアイロン台２の実施態様が描写されている。本体５は実質的に垂直位置にあり、ベース１は長さＬ１を有する。図２において、本体５は実質的に水平位置にあり、ベース１は長さＬ２を有し、それはＬ１よりも大きい。図１及び２は共に作業表面６を備える本体５の位置とベース１の長さとの関係を例証している。ベース１の長さは、使用中のフロアとの接点（４ａ及び４ｂ）間の距離である。ベース１は、第一ベース部分１ａと第二ベース部分１ｂとを含む。第一ベース部分１ａはコラム７に取り付けられ、第二ベース部分は第一ベース部分１ａに沿って摺動可能である。
【００２９】
図３には、実質的に垂直位置にある本体５を備える調節機構９が示されている。本体５（図３には示されていない）は、本体が傾斜軸Ｔ−Ｔに沿って傾斜されるのを可能にするロッド１０に接続されている。本体５が傾斜軸Ｔ−Ｔに沿って（図４に示されるような）水平位置に向かって傾斜されると、ロッド１０は回転し始める。これはロッド１０に接続された冠歯車１５の回転運動をもたらす。この冠歯車は、結果として、回転軸として作用する垂直シャフト１１に接続されたさらなる冠歯車１３を回転する。よって、垂直シャフト１１は反時計回りに回転される。このシャフト１１の回転はスリット１９内のベースレバー１７を移動し、結果的に、ベース１は矢印Ａによって例証されるように滑り出る。ベースは好ましくは摺動手段、例えば、車輪２１を備える。
【００３０】
図５は、第一伸縮部分１２と第二伸縮部分１４とを含むシャフト１１の実施例を概略的に示しており、それらは互いに対して回転可能ではない。何故ならば、それらは非円形断面を有するからである。そのようなシャフトは、引込可能／延長可能ベース機能が高さ調節と組み合わせられる発明の実施態様において使用され得る。伸縮部分を含むシャフトは、本体とベースとの間の距離が偏光されることを可能にする。
【００３１】
図６ａにおいて、本発明に従ったアイロン台２の第二実施態様が描写されており、ベース１と、作業表面６を備える本体５とを含み、本体は第一長手軸Ｉ−Ｉを有する。アイロン台は、第二長手軸ＩＩ−ＩＩを有するコラム７をさらに有する。系車軸Ｔ−Ｔは、第一軸及び第二軸の両者に対して実質的に垂直に延在する。図６ａ及び６ｂは、伸張状態を有する本体を備える第を傾斜することによって得られ得る２つの位置を描写している。
【００３２】
図７乃至１１ｂには、傾斜手段の詳細が描写されている。
【００３３】
図７には、アイロン台の本体５（部分的に示されている）が心棒６３に回転可能に接続されていることが示されている。この実施例において、心棒６３は、（図６ａに示されるような）傾斜軸Ｔ−Ｔの実施態様である。実施態様は、心棒６３に接続された第一ボタン６１を含む。心棒６３は第一コネクタ６４を介して三角形７１に接続されている。三角形７１はクランプ突起７３に接続されており、それは旋回板７５との協働のために配置されている。旋回板７５は（図８に示されるような）第一スロット７４及び第二スロット７６を有する。
【００３４】
傾斜が今や図面を参照して記載される。記載の開始地点は、図６ａに描写されるような実質的に水平位置にある本体である。もし使用者が第一ボタン６１を本体の方向に押すならば、心棒６３は図７中に矢印Ｃによって例証されるように回転する。故に、第一コネクタ６４を介して心棒６３に結合された三角形７１は、矢印Ｄの方向に押される（図８及び９も参照）。その結果として、クランプ突起７３は板旋回７５に配置される第一スロット７４から解放される。もし使用者が、同時に第一ボタン６１を押しながら、矢印Ｅの方向に力を加えるならば（図６を参照）、本体５は回転し、クランプ突起７３は板旋回７５に沿って次の利用可能なスロット、この場合には、第二スロット７６に摺動する（図１０及び１１ａを参照）。もし使用者が第一ボタン６１を解放するならば、クランプ突起７３は第二スロット７６に嵌入する（図１１ｂを参照）。本体５は心棒６３に接続されているので、その結果は本体５が回転心棒６３に沿って実質的に垂直位置、この場合には、水平面に対して約８１度に傾斜される。これは図６ｂに例証されている。
【００３５】
第二実施態様において、本体（図６ｂを参照）は、第一作業表面９２を有する第一部分９１と、第二作業平面９４を有する第二部分９３とを有し、第一部分及び第二部分は、折畳み手段として作用するヒンジ１０３によって接続されている。第一部分９１は、第二部分を支持するための支持素子１０１を備え得る（図６ａを参照）。ヒンジ１０２の第一部分は本体の第一部分９１に固定され、ヒンジ１０４の第二部分は本体の第二部分９３に固定されている（図１３を参照）。
【００３６】
アイロン台の本体の折畳みが今や説明される。記載の開始地点は、図６ｂに描写されるような実質的に垂直位置にある本体である。
【００３７】
もし使用者が第一ボタン（６１）を本体の方向に押すならば、クランプ突起７３は板旋回７５内の第二スロット７６から解放される（図１１ａを参照）。もし使用者が、第一ボタンを同時に押しながら、本体の第二部分９３上で矢印Ｅの方向に力を加えるならば、この第二部分は第一部分に向かって折り畳まれる。第一作業表面９２及び第二作業表面９４は今や互いに向かって面し合う。これは図６ｃに例証されている。このモードにおいて、本発明に従ったアイロン台は容易に且つコンパクトな方法で収納され得る。
【００３８】
本体の第二部分９３が第一部分９１上でパタンと落ちるのを防止し、且つ、折畳みプロセスと同時に起こるために、弾性素子８１が設けられる。図１２には、弾性素子８１の実施態様が示されている。この実施態様において、弾性部材はバネ８５に固定されたストラップ８３を含む。ストラップ８６の一端は本体の第二部分９３に接続され、ストラップの他端はバネ８５に接続されている。バネはコラム８４の第一底部分に固定されている。第一底部分８４は（図１６に示され且つ後に説明される）コラム７の可動フレーム３３の一部である。
【００３９】
実質的水平（図６ａにおけるような伸張状態）から実質的垂直（図６ｂにおけるような伸張状態）への第二実施態様における本体５の位置の変位は、本体の望ましくない折畳みを引き起こし得る。本体の傾斜が時期尚早な折畳みに対して勝つために、弾性素子８１（図１２を参照）は弾性力が本体を傾斜するのに必要とされる力よりも強いよう選択され且つ構成され、よって、本体５の傾斜中に部分を一体に維持する。図１２では、弾性素子８１の進路がコラム（図示せず）を通じて通り、本体の第一部分９１を通じて通り、本体の第二部分９３で終端することが分かる。ストラップは、番号８６によって表示される場所で第二部分９３に固定される（図１２）。本体の重量に依存して、当業者であれば、弾性素子の力を選択し得る。これはバネ８５の力であり得る。ストラップ及びバネは、例えば、弾性バンド（図示せず）によって置換され得る。その場合には、弾性バンドの力は当業者によって選択され得る。案内手段８０が弾性素子の進路を案内する。案内手段の実施例は、それ自体既知のローラである。
【００４０】
傾斜中に本体の第一部分９１と本体の第二部分９３とを伸張状態に維持するために、代替的に、固定手段（図示せず）が設けられ得る。
【００４１】
この固定手段は、２つの安定位置、例えば、開放位置及び閉塞位置を有する、それ自体既知のヒンジ又はバネ付勢ヒンジであり得る。
【００４２】
代替的に、固定手段は、ヒンジの第二部分１０４（図１３）に近接する本体の第二部分に固定される受容手段と協働するヒンジの第一部分（１０２、図１３を参照）に近接する本体の第一部分に固定された突起を含み得る。協働はそれ自体既知の方法で行われるので、本体の第一部分及び第二部分はそれらの伸張位置に固定される。突起はフックであり得るし、受容手段はソケットであり得る。これらはそれ自体既知である。そのような実施態様では、使用者は、本体が折り畳まれ得る前に、フックをソケットから解放しなければならない。実際には、それは本体の部分間で係止／離脱手段として機能する。
【００４３】
図１４には、プレスモードにある本発明に従った大の実施態様が描写されている。この実施態様は、本体の第一部分９１に固定されたフック１１１と、本体の第二部分９３に固定された本体突起１１３とを含む。これは逆でもあり得る。本体突起１１３は受容素子として働く。当業者であれば、代替的な既知のフック形状素子と既知の受容素子とを選択し、素子が協働するようにそれらを本体の第一部分９１及び第二部分９３にそれぞれ固定し得る。接触ボタン１３５が電気装置（図示せず）のための制御装置として働く。電気装置はファン１３３を活性化するために配置される。
【００４４】
本発明に従ったアイロン台を使用して物品をプレスする方法が今や記載される。水平位置にある本体（アイロンモード）（図６ａ）が開始地点として取られる。物品１５１が本体の第一部分９１の第一作業表面９２上に配置される。本体の第二部分９３が第一作業表面９２に向かって折り畳まれる。本体の第一部分９１は（水平位置にある）旋回板７５上に掛止されたままである。このようにして、第一作業表面９２及び第二作業表面９４は互いに面し合い、物品の少なくとも一部がそれらの間に配置される。今や部分９１，９３は共にクランプされる。これは本体突起１１３の周りにフック１１１を移動することによって行われる。もし接触ボタン１３５が押されるならば、ファン１３３が活性化され、その結果、空気流が本体の第二部分の第二作業表面９４を通じて並びに物品１５１（の一部）を通じて流れる。プレス動作中に熱をもたらすために、台ヒータ（もし存在するならば、図示されていない）が活性化され得る。
【００４５】
本発明に従った実施態様によれば、ファン１３３を活性化するための制御装置は遠隔制御を含む。
【００４６】
図１４には、本発明に従ったアイロン台の実施態様が、機器、例えば、アイロン１２３、もし存在するならば、衣類スチーマを収容するための室１２１、又は、例えば、引出しを備え得ることがさらに示されている。このようにして、台はアイロン及び／又は衣類スチーマを格納する手段を有する。
【００４７】
本発明に従ったアイロン台の実施態様において、アイロン台は、水タンク１２５又はボイラ１２７又は電源（図１４）のうちの少なくとも１つを収容するために構成される。ボイラは、入口（図示せず）を有するアイロンに接続されるホースを備える。水タンク１２５は、それ自体既知の方法で水をボイラに提供するために配置される。このようにして、蒸気が生成され、アイロンに供給され得る。よって、アイロンはスチームアイロンとして機能し得る。よって、アイロンはアイロン台と協働し得る。
【００４８】
図１５ａは、本発明に従ったトルソ形状本体の第一実施態様を概略的に描写しており、そこでは、作業表面はトルソの長手部分の輪郭に対応する輪郭１４１を有する。
【００４９】
図１５ｂは、輪郭１４３を有する本発明に従ったトルソ形状本体の第二の変形を概略的に描写している。
【００５０】
トルソ形状は軸ＩＩＩ−ＩＩＩに対して対称的であり得る。
【００５１】
本発明に従ったアイロン台の実施態様において、台は回生（リフレッシュ）モードを有する。このモードでは、物品を本体５に覆うことによって、使用者は物品を回生可能であり、本体は実質的に垂直位置にある（図６ｂを参照）。
【００５２】
物品は、例えば、ジャケット、ブレザ、ブラウス、又は、シャツであり得る。物品はボタン付きであっても良く、よって、物品の正面側と普通呼ばれるもので閉塞され得る。このようにして、肩部分は本体５の肩部（例えば、図１５ａ中の１４２、或いは、代替的に、図１５ｂ中の１４４）を覆う。ドレス又はセータのようなボタンなし物品が、肩紐又は肩部分が本体の肩部に位置するよう本体に覆われ得る。両方の記載において、本体には物品が着けられる。代替的に、物品はハンガを覆い得るし、ハンガは本体に接続される。使用者はファン１３３を始動するために電気装置を活性化する。ファン１３３は空気流を生成する。活性化は制御装置１３５を使用して行われる。使用者が制御ユニットに容易に達し得るよう、制御装置は、例えば、本体の背部のいずれの場所にも配置され得る。代替的に、制御装置は遠隔制御１３７を含む。ファン活性化は、衣類スチーマ（もし存在するならば）からも行われ得る。この場合には、衣類回生は、衣類スチーマからの蒸気の使用で加速され、台からの空気（ヒータで暖められ得る）で補助される。
【００５３】
本発明に従った実施態様において、空気は透過性作業表面を通じて流れる。本体が複数の部分を有する場合には、空気は、使用中にファン１３３によって移動性をもたらされた空気を案内するための案内手段を介して、本体の１つの部分から本体の他の部分に並びにその逆に案内される。
【００５４】
空気案内手段は、本体１０７の第一部分の第一壁部分を含み（図１３）、その第一壁部分は、折畳み手段１０３及び本体１０９の第二部分の第二壁部分の近くに配置され、その第二壁部分は、折畳み手段の近くに配置され、それらの第一壁部分及び第二壁部分は、対応する開口１０５を備える。
【００５５】
代替的な実施態様において、本体は孔１３１を備え（図１４）、孔１３１は開放され、空気流は主として本体の反対側に配置される孔から吹き出される。今や空気流はスリーブ及び物品の上方部分に向かって流れる。このようにして、汗領域として既知の腋窩領域が特に回生される。
【００５６】
図１６に描写された本発明に従ったアイロン台２の実施態様において、アイロン台は、ベース１に対する本体５の距離を調節するための高さ調節手段を含む。図１６には、高さ調節手段の概略的な実施態様が描写されており、ベース１に固定された静止フレーム３１と本体５に固定された可動フレーム３３とを備えるコラム７を示している。静止フレーム３１は、可動フレーム３３を案内するための案内手段３５を有する。図１７には、高さ調節手段の代替的な実施態様が示されている。この実施態様において、アイロン台は第二可動フレーム３４を含む。第二可動フレーム３４は静止フレーム３１に対して移動し、可動フレーム３３は第二可動フレーム３４に対して移動する。
【００５７】
高さ調節手段は、図１８、１９、及び、２０により詳細に示されている。
【００５８】
これらの図面には、第二ボタン３９がシャフト４０に接続されていることが描写されている。シャフト４０は第二コネクタ４１を介してストリップリフト４１に固定されている（図１９）。レバーリフト４３（図４３）がストリップリフト４１に固定され、目盛板４５と協働する。
【００５９】
高さを調節するために、使用者は本体に向かって第二ボタン３９を押す。このようにして、シャフト４０は矢印Ｆの方向に回転される（図１９を参照）。結果的に、第二コネクタ４２を介してシャフト４０に接続されたストリップリフト４１は下方に移動される。結果的に、レバーリフト４３は目盛板４５（或いは、代替的に、ギア列）から解放（離脱）される（図２０を参照）。使用者は今や（第二ボタン３９を押しながら）本体を引っ張り上げ或いはそれを押し下げ得る。何故ならば、稼働フレーム３３は静止フレーム３１上の案内手段３５を使用して自由に移動し得るからである。本体を所望の高さに固定するために、使用者は第二ボタン３９及びストッパ手段として作用するレバーリフト４３を解放し、目盛板４５内の最も近い開口内に摺動する。
【００６０】
使用者が本体及びそれに接続されたフレームの重量を持ち上げるのに力を加える必要がないよう高さ調節を容易化するために、本発明に従ったアイロン台は、好ましくは、本体に反発力を加える手段を備える。そのような力はベースから離れる方向に向けられた本体上の力である。この力は電気的、磁気的、水圧的、空気圧的に、又は、機械的手段によって提供され得る。
【００６１】
本発明に従った実施態様において、本体５の重量は、高さ調節中に定荷重バネによって補償される（図１８を参照）。定荷重バネ３７は、一端でネジ又は取付けブリッジのような共通の固定手段を用いて静止フレーム３１に固定され（図１６中に視覚化されている）、他端で可動フレーム３３に固定されている（図１６中に視覚化されている）。可動フレーム３３の底部８４（図１６に示されている）は、定荷重バネ３７の締結手段３０上に載っている。本体５（図１６中に視覚化されている）は可動フレーム３３に固定されているので、本体５及び可動フレーム３３の両方の重量は定荷重バネによって補償される。
【図面の簡単な説明】
【００６２】
【図１】実質的に垂直位置にある本体を備える本発明に従ったアイロン台の第一実施態様を示す概略図である。
【図２】実質的に水平位置にある本体を備える図１のアイロン台を概略的に示す斜視図である。
【図３】実質的に垂直位置にある本体を備える本発明に従ったアイロン台のための調節機構を示す概略図である。
【図４】実質的に水平位置にある本体を備える図３のアイロン台のための調節機構を示す概略図である。
【図５】調節機構の詳細な実施態様を示す概略図である。
【図６ａ】本発明に従ったアイロン台の第二実施態様を概略的に示す側面図である。
【図６ｂ】実質的に垂直位置にある本体を備える図６ａの実施態様を示す概略図である。
【図６ｃ】折畳み位置にある図６ａの実施態様を示す概略図である。
【図７】本発明に従ったアイロン台のための傾斜機構を示す概略図である。
【図８】図７の傾斜手段の詳細を概略的に示す斜視図である。
【図９】図８の詳細を概略的に示す側面図である。
【図１０】他の位置にある図７の傾斜手段の詳細を示す概略図である。
【図１１ａ】第一位置にある図１０の詳細を概略的に示す側面図である。
【図１１ｂ】第二位置にある突起を備える図１０の詳細を概略的に示す側面図である。
【図１２】本発明に従ったアイロン台の第三実施態様の詳細を示す概略図である。
【図１３】本発明に従ったアイロン台のための空気案内手段を示す概略図である。
【図１４】プレスモードにある本発明に従ったアイロン台の実施態様を示す概略図である。
【図１５ａ】本発明に従ったトルソ形状本体の第一実施態様を示す概略図である。
【図１５ｂ】本発明に従ったトルソ形状本体の第二実施態様を示す概略図である。
【図１６】本発明に従ったアイロン台の高さ調節手段の実施態様を示す概略図である。
【図１７】本発明に従ったアイロン台の高さ調節手段の代替的な実施態様を示す概略図である。
【図１８】本発明に従ったアイロン台のための高さ調節手段の実施態様の一部としての重量補償手段の実施態様を示す概略図である。
【図１９】図１８の高さ調節手段の拡大された詳細を示す概略図である。
【図２０】図１８の高さ調節手段の他の拡大された詳細を示す概略図である。
【国際調査報告】
2008544798.tif 000027
2008544798.tif 000028
2008544798.tif 000029